(57)【要約】【課題】  安価に製作することができ、且つ、優れた放熱特性を有する電解コンデンサを提供する。【解決手段】  本発明の電解コンデンサC1は、一対の電極端子５、５のうちいずれか一方の電極端子５に接触状態に取り付けられる放熱部材10Aを備えている。放熱部材10Aは電導性を有している。この放熱部材10Aには、一対の配線端子30、30のうちいずれか一方の配線端子30が電気的に接続される。この放熱部材10Aは、電極端子５と配線端子30との間に配設されている。そして、電極端子５に設けられたねじ穴部６に、締結ボルト20が電極端子５と放熱部材10Aと配線端子30とを締結する状態に螺合されるものとなされている。【選択図】  図３
2004311928.tif 000002
【特許請求の範囲】
【請求項１】
一対の電極端子のうちいずれか一方の電極端子に接触状態に取り付けられる、電導性を有する放熱部材を備えるとともに、
放熱部材に一対の配線端子のうちいずれか一方の配線端子が電気的に接続される電解コンデンサであって、
放熱部材が電極端子と配線端子との間に配設されるとともに、
電極端子に設けられたねじ穴部又はボルト部に、締結ボルト又は締結ナットが、電極端子と放熱部材と配線端子とを締結する状態に螺合されるものとなされていることを特徴とする電解コンデンサ。
【請求項２】
放熱部材の電極端子との接触面の表面粗さＲｍａｘが１２〜２５μｍの範囲に設定されている請求項１記載の電解コンデンサ。
【請求項３】
締結ボルト又は締結ナットが、０．６〜１．０Ｎ・ｍの範囲の締付けトルクで螺合されるものとなされている請求項１又は２記載の電解コンデンサ。
【請求項４】
放熱部材の接続端子側の端面に設けられた凹部に電極端子の少なくとも先端部が嵌合された状態に、放熱部材が電極端子に取り付けられる請求項１〜３のいずれか１項記載の電解コンデンサ。
【請求項５】
放熱部材は、複数個の放熱フィンを有している請求項１〜４のいずれか１項記載の電解コンデンサ。
【請求項６】
前記複数個の放熱フィンの合計表面積が４０００ｍｍ2以上である請求項５記載の電解コンデンサ。
【請求項７】
放熱部材はアルミニウム又はアルミニウム合金製である請求項１〜６のいずれか１項記載の電解コンデンサ。
【請求項８】
耐電圧が４００Ｖ以上及び静電容量が３２００μＦ以上の特性を有する請求項１〜７のいずれか１項記載の電解コンデンサ。
【請求項９】
一対の電極端子は、コンデンサ本体の同一端部に外部に露出した状態に設けられるとともに、
各電極端子に放熱部材が当接状態に取り付けられ、
両放熱部材間に電気絶縁用隔壁部材が配置されるとともに、各放熱部材の電極端子側の端面が隔壁部材に設けられた受け部で受けられ、且つ、各放熱部材が隔壁部材に設けられた保持部によって、各放熱部材の隔壁部材からの離間が阻止された状態に保持されるものとなされている請求項１〜８のいずれか１項記載の電解コンデンサ。
【請求項１０】
アルミニウム電解コンデンサである請求項１〜９のいずれか１項記載の電解コンデンサ。
【請求項１１】
前記一対の電極端子のうち少なくともいずれか一方の電極端子は、複数本のリード線を介してコンデンサ素子と接続されている請求項１〜１０のいずれか１項記載の電解コンデンサ。
【請求項１２】
請求項１〜１１のいずれか１項記載の電解コンデンサを準備し、
放熱部材を電極端子と配線端子との間に配設するとともに、
電極端子に設けられたねじ穴部又はボルト部に、締結ボルト又は締結ナットを、電極端子と放熱部材と配線端子とを締結した状態に螺合し、
コンデンサ素子に生じた熱を放熱部材から放出しながら、交流電圧を電極端子に配線端子及び放熱部材を介して印加することを特徴とする電解コンデンサの使用方法。
【請求項１３】
締結ボルト又は締結ナットを０．６〜１．０Ｎ・ｍの範囲の締付けトルクで螺合する請求項１２記載の電解コンデンサの使用方法。
【請求項１４】
交流電圧が１００Ｖ以上及び交流電流が１０Ａ以上の条件で、交流電圧を印加する請求項１２又は１３記載の電解コンデンサの使用方法。
【請求項１５】
請求項１〜１１のいずれか１項記載の電解コンデンサを準備し、
放熱部材を電極端子と配線端子との間に配設するとともに、
電極端子に設けられたねじ穴部又はボルト部に、締結ボルト又は締結ナットを、電極端子と放熱部材と配線端子とを締結する状態に螺合することを特徴とする電解コンデンサの配線端子との接続方法。
【請求項１６】
締結ボルト又は締結ナットを０．６〜１．０Ｎ・ｍの範囲の締付けトルクで螺合する請求項１５記載の電解コンデンサの配線端子との接続方法。
【発明の詳細な説明】
【技術分野】
【０００１】
この発明は、優れた放熱特性を有する電解コンデンサ、その使用方法及び電解コンデンサの配線端子との接続方法に関する。
【背景技術】
【０００２】
電解コンデンサは、一般に、コンデンサ素子と、コンデンサ素子に設けられた電極端子と、コンデンサ素子を収容した有底円筒状の外装ケースと、外装ケースの開口を封口した封口部材とを備えている。電極端子は封口部材を貫通して外部に突出している。
【０００３】
この電解コンデンサは、これにリップル電流を長時間印加したり大電流を印加したりすると、その内部に収容されたコンデンサ素子が発熱する。さらに、電解コンデンサのサイズが大型になるにつれて、コンデンサ素子の発熱量が増大する。コンデンサ素子が発熱してその温度が過度に上昇すると、誘電正接の増大や静電容量の減少が生じるなどコンデンサの電気的諸特性が劣化したり、更にはコンデンサの耐用寿命が短くなるという問題が発生する。
【０００４】
そこで、このような問題を解決するため、従来より、コンデンサ素子の温度上昇を抑制することができる電解コンデンサが幾つか提案されている。
【０００５】
例えば、特開２０００−７７２６８号公報には、コンデンサ素子の端面に金属製集電端子が接合された電解コンデンサが開示されている（特許文献１参照。）。
【０００６】
また、特開平１１−３２９８９９号公報には、コンデンサ素子の巻芯部にヒートパイプの吸熱部が接続されるとともに、該ヒートパイプの放熱部に放熱フィンやヒートシンクが接続された電解コンデンサが開示されている（特許文献２参照。）。
【０００７】
また、特開平１１−２１９８５４号公報には、コンデンサ素子のリード端子と接続され、他方のリード端子と隔絶された放熱部材を具備した電解コンデンサが開示されている（特許文献３参照。）。
【特許文献１】特開２０００−７７２６８号公報（請求項１）
【特許文献２】特開平１１−３２９８９９号公報（請求項１、第１図）
【特許文献３】特開平１１−２１９８５４号公報（請求項１）
【発明の開示】
【発明が解決しようとする課題】
【０００８】
しかしながら、特開２０００−７７２６８号公報及び特開平１１−３２９８９９号公報に開示された電解コンデンサでは、コンデンサ素子自体や内部構造自体を設計変更した電解コンデンサを、特注で製作する必要があるため、製作コストが高く付いてしまうという難点があった。
【０００９】
特開平１１−２１９８５４号公報に開示された電解コンデンサでは、放熱部材は、外装ケース内に収容された状態で該外装ケースの開口縁部に係止固定されているので、該電解コンデンサを製作する場合には、その製作工程を変更しなければならず、やはり製作コストが高く付くという難点があった。
【００１０】
また近年、電気自動車、燃料電池車、太陽光発電システム、産業用電源などにおいて、そのインバータ回路やＡＣサーボモータ駆動回路に適用される電解コンデンサとして、大電流印加時や高リップル電流印加時に発生する熱を効率良く外部に放出することができる電解コンデンサが要求されている。
【００１１】
この発明は、上述した技術背景に鑑みてなされたもので、その目的は、安価に製作することができ、且つ、優れた放熱特性を有する電解コンデンサ、その使用方法及び電解コンデンサの配線端子との接続方法を提供することにある。
【課題を解決するための手段】
【００１２】
上記目的を達成するため、本発明は、以下の手段を提供する。
【００１３】
［１］  一対の電極端子のうちいずれか一方の電極端子に接触状態に取り付けられる、電導性を有する放熱部材を備えるとともに、放熱部材に一対の配線端子のうちいずれか一方の配線端子が電気的に接続される電解コンデンサであって、放熱部材が電極端子と配線端子との間に配設されるとともに、電極端子に設けられたねじ穴部又はボルト部に、締結ボルト又は締結ナットが、電極端子と放熱部材と配線端子とを締結する状態に螺合されるものとなされていることを特徴とする電解コンデンサ。
【００１４】
［２］  放熱部材の電極端子との接触面の表面粗さＲｍａｘが１２〜２５μｍの範囲に設定されている前項１記載の電解コンデンサ。
【００１５】
［３］  締結ボルト又は締結ナットが、０．６〜１．０Ｎ・ｍの範囲の締付けトルクで螺合されるものとなされている前項１又は２記載の電解コンデンサ。
【００１６】
［４］  放熱部材の接続端子側の端面に設けられた凹部に電極端子の少なくとも先端部が嵌合された状態に、放熱部材が電極端子に取り付けられる前項１〜３のいずれか１項記載の電解コンデンサ。
【００１７】
［５］  放熱部材は、複数個の放熱フィンを有している前項１〜４のいずれか１項記載の電解コンデンサ。
【００１８】
［６］  前記複数個の放熱フィンの合計表面積が４０００ｍｍ2以上である前項５記載の電解コンデンサ。
【００１９】
［７］  放熱部材はアルミニウム又はアルミニウム合金製である前項１〜６のいずれか１項記載の電解コンデンサ。
【００２０】
［８］  耐電圧が４００Ｖ以上及び静電容量が３２００μＦ以上の特性を有する前項１〜７のいずれか１項記載の電解コンデンサ。
【００２１】
［９］  一対の電極端子は、コンデンサ本体の同一端部に外部に露出した状態に設けられるとともに、各電極端子に放熱部材が当接状態に取り付けられ、両放熱部材間に電気絶縁用隔壁部材が配置されるとともに、各放熱部材の電極端子側の端面が隔壁部材に設けられた受け部で受けられ、且つ、各放熱部材が隔壁部材に設けられた保持部によって、各放熱部材の隔壁部材からの離間が阻止された状態に保持されるものとなされている前項１〜８のいずれか１項記載の電解コンデンサ。
【００２２】
［１０］  アルミニウム電解コンデンサである前項１〜９のいずれか１項記載の電解コンデンサ。
【００２３】
［１１］  前記一対の電極端子のうち少なくともいずれか一方の電極端子は、複数本のリード線を介してコンデンサ素子と接続されている前項１〜１０のいずれか１項記載の電解コンデンサ。
【００２４】
［１２］  前項１〜１１のいずれか１項記載の電解コンデンサを準備し、放熱部材を電極端子と配線端子との間に配設するとともに、電極端子に設けられたねじ穴部又はボルト部に、締結ボルト又は締結ナットを、電極端子と放熱部材と配線端子とを締結した状態に螺合し、コンデンサ素子に生じた熱を放熱部材から放出しながら、交流電圧を電極端子に配線端子及び放熱部材を介して印加することを特徴とする電解コンデンサの使用方法。
【００２５】
［１３］  締結ボルト又は締結ナットを０．６〜１．０Ｎ・ｍの範囲の締付けトルクで螺合する前項１２記載の電解コンデンサの使用方法。
【００２６】
［１４］  交流電圧が１００Ｖ以上及び交流電流が１０Ａ以上の条件で、交流電圧を印加する前項１２又は１３記載の電解コンデンサの使用方法。
【００２７】
［１５］  前項１〜１１のいずれか１項記載の電解コンデンサを準備し、放熱部材を電極端子と配線端子との間に配設するとともに、電極端子に設けられたねじ穴部又はボルト部に、締結ボルト又は締結ナットを、電極端子と放熱部材と配線端子とを締結する状態に螺合することを特徴とする電解コンデンサの配線端子との接続方法。
【００２８】
［１６］  締結ボルト又は締結ナットを０．６〜１．０Ｎ・ｍの範囲の締付けトルクで螺合する前項１５記載の電解コンデンサの配線端子との接続方法。
【発明の効果】
【００２９】
［１］の発明では、コンデンサ素子に生じた熱は、電極端子を伝導して外部に引き出されて、放熱部材から放出される。このとき、放熱部材は電極端子に接触状態に取り付けられているので、熱を効率良く放出することができる。そのため、電解コンデンサは優れた放熱特性を有するものとなる。
【００３０】
さらに、電極端子に設けられたねじ穴部又はボルト部に、締結ボルト又は締結ナットが、電極端子と放熱部材と配線端子とを締結する状態に螺合されるものとなされていることから、従来のようにコンデンサ素子自体や内部構造自体を設計変更したり電解コンデンサの製作工程を変更したりしなくても、電解コンデンサの放熱特性を向上させることができる。そのため、電解コンデンサを安価に製作することができる。
【００３１】
なお、［１］の発明において、コンデンサ素子の形態は限定されるものではなく、例えば液体電解質型及び固定電解質型が挙げられる。また、電解コンデンサのコンデンサ本体は、放熱性を向上させるために中空部を有するものであっても良いし、ヒートシンク付きのものであっても良い。また、コンデンサ素子は放熱性の悪い外装ケースに収容されていても良い。
【００３２】
また、コンデンサ本体の形状は限定されるものではなく、円柱状や角柱状（例えば四角柱状）のいずれでも良い。
【００３３】
また、放熱部材と配線端子との間に、電導性を有するワッシャや導電シートや電導ペーストを介在させても良い。
【００３４】
また、締結ボルトや締結ナットは、電導性を有するものであることが望ましく、更には高熱伝導性を有するものであることが望ましい。このような締結ボルトや締結ナットを具体的に例示すると、金属（アルミニウム、アルミニウム合金、ステンレス鋼等）製の締結ボルトや締結ナットが挙げられる。
【００３５】
［２］の発明では、放熱部材の電極端子との接触面の表面粗さＲｍａｘが所定の範囲に設定されることより、電極端子と放熱部材とを締結した場合に、放熱部材の接触面と電極端子との密着度が大幅に向上する。そのため、放熱部材と電極端子との間の接触抵抗を大幅に減少させることができて、放熱部材と電極端子との接触部分に生じることのある局部的な異常発熱を防止することができる。なお、接触抵抗が大幅に減少する理由は、電極端子と放熱部材とを締結する際に、両者の間に弱い摩擦圧接が生じているからと推測される。
【００３６】
さらに、放熱部材の接触面と電極端子との密着度が向上することにより、電極端子から放熱部材への熱伝導性が向上する。そのため、放熱特性が更に向上する。
【００３７】
［３］の発明では、締結ボルト又は締結ナットが、所定の範囲の締付けトルクで螺合されることにより、電極端子と放熱部材とを締結した場合に、放熱部材の接触面と電極端子との密着度が確実に向上する。そのため、放熱特性を確実に向上させることができる。
【００３８】
［４］の発明では、放熱部材の凹部に電極端子の少なくとも先端部が嵌合された状態に、放熱部材が電極端子に取り付けられることにより、放熱部材と電極端子との接触面積が増大する。そのため、放熱特性をより一層向上させることができる。その上、放熱部材を電極端子と配線端子との間に配設させる際に、放熱部材の凹部に電極端子の先端部を嵌合させることにより、放熱部材の電極端子に対する位置決めが行われるようになる。そのため、電解コンデンサの配線端子との接続作業を容易に行うことができる。
【００３９】
［５］の発明では、放熱部材は複数個の放熱フィンを有していることにより、放熱特性をより確実に向上させることができる。
【００４０】
［６］の発明では、複数個の放熱フィンの合計表面積が４０００ｍｍ2以上であることにより、放熱特性をより確実に向上させることができる。
【００４１】
［７］の発明では、放熱部材がアルミニウム又はアルミニウム合金製であることにより、放熱特性をより確実に向上させることができる。
【００４２】
なお、［７］の発明において、放熱部材は、特にＪＩＳ  Ａ６０６３Ｓ−Ｔ５製であることが望ましい。
【００４３】
なお、本発明において、放熱部材の電極端子との接触面は、精密旋盤や精密切断により加工されていることが望ましい。こうすることにより、放熱特性をより確実に向上させることができる。
【００４４】
［８］の発明では、耐電圧が４００Ｖ以上及び静電容量が３２００μＦ以上の特性を有する電解コンデンサであっても、優れた放熱特性を発揮することができる。
【００４５】
［９］の発明では、一対の電極端子がコンデンサ本体の同一端部に設けられている場合において、両電極端子に取り付けられた両放熱部材間に電気絶縁用隔壁部材が配置されることにより、両放熱部材同士が直接接触して電気的短絡が生じる不具合をこの隔壁部材によって確実に防止することができる。しかも、各放熱部材の電極端子側の端面が隔壁部材に設けられた受け部で受けられ、且つ、各放熱部材が隔壁部材に設けられた保持部によって各放熱部材の隔壁部材からの離間が阻止された状態に保持されているので、放熱部材の電極端子への取付け作業を容易に行うことができる。
【００４６】
［１０］の発明では、安価に製作することができ、且つ、優れた放熱特性を有するアルミニウム電解コンデンサを提供することができる。
【００４７】
［１１］の発明では、電極端子は、複数本のリード線を介してコンデンサ素子と接続されているので、コンデンサ素子で発生した熱を効率良く電極端子に伝熱することができ、これによりコンデンサの放熱性能をさらに向上させることができる。
【００４８】
［１２］の発明では、優れた放熱特性を有する電解コンデンサの使用方法を提供することができる。
【００４９】
［１３］の発明では、締結ボルト又は締結ナットを、所定の範囲の締付けトルクで螺合することにより、放熱部材の接触面と電極端子との密着度が確実に向上する。そのため、放熱特性を確実に向上させることができる。
【００５０】
［１４］の発明では、本発明に係る電解コンデンサにおいて、交流電圧が１００Ｖ以上及び交流電流が１０Ａ以上という電気的に過酷な条件で、交流電圧を印加する場合であっても、優れた放熱特性を発揮することができる。特に、本発明に係る電解コンデンサは、高リップル率の交流電圧を印加する場合に好適である。
【００５１】
［１５］の発明では、優れた放熱特性を有する電解コンデンサを配線端子に容易に接続することができる。
【００５２】
［１６］の発明では、放熱特性を確実に向上させることができる。
【発明を実施するための最良の形態】
【００５３】
次に、本発明の好ましい幾つかの実施形態について図面を参照して説明する。
【００５４】
図１〜図３は、本発明の第１実施形態に係る電解コンデンサを説明するための図である。図１において、（C1）は第１実施形態に係る電解コンデンサである。この電解コンデンサ（C1）は、アルミニウム電解コンデンサであって、耐電圧が４００Ｖ以上及び静電容量が３２００μＦ以上の電気的特性を有するものである。
【００５５】
この電解コンデンサ（C1）は、円柱状のコンデンサ本体（１）と、一対の放熱部材（10A）（10A）と、一対の締結ボルト（20）（20）とを備えている。
【００５６】
コンデンサ本体（１）は、一般に市販されているものであって、例えば図１及び図２に示すように、コンデンサ素子（２）と、コンデンサ素子（２）を収容した有底円筒状の外装ケース（３）と、該外装ケース（３）の開口を封口した、電気絶縁性を有する封口部材（４）と、＋−一対の電極端子（５）（５）とを備えている。
【００５７】
コンデンサ素子（２）は、液体電解質型のものであって、陽極箔と陰極箔との間にセパレータが介在されて巻回されることにより、形成されている。さらに、このコンデンサ素子（２）には電解液が含浸されている。
【００５８】
一対の電極端子（５）（５）は、コンデンサ素子（２）から封口部材（４）を貫通して導出されて、コンデンサ本体（１）の同一端部に外部に露出した状態に設けられている。その例を図２に示す。本実施形態では、各電極端子（５）は外部に突出した状態に設けられている。各電極端子（５）は断面円形状に形成されており、各電極端子（５）の先端面の中央部には、図３に示すようにねじ穴部（６）が設けられている。前記電極端子（５）の下端部は、複数本のリード線（９０）…を介して前記コンデンサ素子（２）と接続されている（本実施形態では２本のリード線を介して接続されている）。前記リード線（９０）としては銅又はアルミニウム製のリード線が好適に用いられる。なお、本発明では、一対の電極端子（５）（５）は、コンデンサ本体（１）の互いに異なる端部に設けられていても良い。
【００５９】
一対の放熱部材（10A）（10A）は、一対の電極端子（５）（５）に取り付けられるものであって、互いに同形同寸に形成されている。各放熱部材（10A）は、アルミニウム又はアルミニウム合金製である。各放熱部材（10A）は、断面円形状の中央軸部（11）と、該中央軸部（11）に長さ方向に所定間隔おきに円形鍔状に突設された複数個（同図では４個）の放熱フィン（13）と、中央軸部（11）にその長さ方向に貫通して設けられたボルト挿通孔（12）とを有している。
【００６０】
一対の締結ボルト（20）（20）は、一対の電極端子（５）（５）のねじ穴部（６）（６）に螺合されるものであって、互いに同形同寸に形成されている。各締結ボルト（20）は、電導性を有するものであることが望ましく、更には高熱伝導性を有するものであることが望ましい。この第１実施形態では、締結ボルト（20）は、例えば金属（アルミニウム、アルミニウム合金、ステンレス鋼等）製のものである。
【００６１】
図１において、（30）（30）は＋−一対の配線端子である。この一対の配線端子（30）（30）は、交流電源（図示せず）から供給された交流電圧（交流電流）を電解コンデンサ（C1）に印加するために接続されるものであって、図３に示すように、リング状に形成されるとともに、ボルト挿通孔（31）を有している。
【００６２】
次に、上記電解コンデンサ（C1）の構成について、電解コンデンサ（C1）の配線端子（30）（30）との接続方法に基づいて説明する。
【００６３】
まず、図３に示すように、一対の電極端子（５）（５）のうちいずれか一方の電極端子（５）において、互いに対応する電極端子（５）と配線端子（30）との間に放熱部材（10A）を配設する。この状態で、締結ボルト（20）を、配線端子（30）のボルト挿通孔（31）と放熱部材（10A）のボルト挿通孔（12）とに順に通して、該締結ボルト（20）を電極端子（５）のねじ穴部（６）にトルク計（図示せず）を用いて螺合する。これにより、図１及び図２に示すように、互いに対応する電極端子（５）と放熱部材（10A）と配線端子（30）とを締結する。こうして一方の配線端子（30）は、電解コンデンサ（C1）の一方の電極端子（５）に一方の放熱部材（10A）を介して接続される。
【００６４】
これと同様に、他方の電極端子（５）において、互いに対応する電極端子（５）と放熱部材（10A）と配線端子（30）とを締結ボルト（20）によって締結する。こうして他方の配線端子（30）は、電解コンデンサ（C1）の他方の電極端子（５）に他方の放熱部材（10A）を介して接続される。
【００６５】
この締結状態において、図２に示すように、各放熱部材（10A）は、対応する電極端子（５）の先端面（5a）（図３参照）に直接、接触状態に取り付けられている。（15）は、放熱部材（10A）の電極端子（４）との接触面を示している。さらに、両放熱部材（10A）（10A）同士は互いに接触しておらず、すなわち、両放熱部材（10A）（10A）間には電気絶縁用の間隙が形成されている。
【００６６】
ここで本発明では、放熱部材（10A）の電極端子（５）との接触面（15）は、適度の粗さを有していることが望ましい。特に、この放熱部材（10A）の接触面（15）の表面粗さＲｍａｘは、１２〜２５μｍの範囲に設定されるのが望ましい。このように設定することにより、電極端子（５）と放熱部材（10A）とを締結した場合に、放熱部材（10A）の接触面（15）と電極端子（５）の先端面（5a）との密着度が大幅に向上する。そのため、電極端子（５）と放熱部材（10A）との間の接触抵抗を大幅に減少させることができて、放熱特性を大幅に向上させることができる。なお本発明において、特に望ましい表面粗さＲｍａｘの範囲は１５〜２０μｍである。
【００６７】
表面粗さＲｍａｘを所定の範囲に設定するためには、放熱部材（10A）の接触面（15）への加工方法として精密旋盤を採用した場合には、バイトの送りを調節することが望ましく、また、放熱部材（10A）の接触面（15）への加工方法として精密切断を採用した場合には、切断ノコの送りを調節することが望ましい。
【００６８】
一方、各電極端子（５）の放熱部材（10A）との接触面、すなわち各電極端子（５）の先端面（5a）の表面粗さＲｍａｘは、放熱部材（10A）の電極端子（５）との接触面（15）の表面粗さＲｍａｘと同一範囲か、同程度の範囲に設定されるのが望ましい。
【００６９】
さらに、締結ボルト（20）の締付けトルクは、０．６〜１．０Ｎ・ｍの範囲に設定されることが望ましい。こうすることにより、電極端子（５）と放熱部材（10A）とを締結した場合に、放熱部材（10A）の接触面（15）と電極端子（５）の先端面（5a）との密着度が確実に向上する。そのため、接触抵抗を更に確実に減少させることができて、放熱特性を更に確実に向上させることができる。なお、締付けトルクが０．６Ｎ・ｍ未満の場合には、放熱部材（10A）の接触面（15）と電極端子（５）の先端面（5a）との密着度が弱く、放熱部材（10A）と電極端子（５）との間の接触抵抗を低減するのが困難になる。その結果、放熱部材（10A）と電極端子（５）との接触部分に異常発熱が生じる虞がある。一方、締付けトルクが１．０Ｎ・ｍを超える場合には、締結ボルト（20）の取外しが困難になる虞があるし、更には締結ボルト（20）のねじ部やねじ穴部（６）のねじ部が破損する虞がある。なお本発明において、特に望ましい締付けトルクの範囲は、０．７〜０．９Ｎ・ｍである。
【００７０】
次に、上記電解コンデンサ（C1）の使用方法を説明する。
【００７１】
まず、図１及び図２に示すように、各電極端子（５）において、互いに対応する電極端子（５）と放熱部材（10A）と配線端子（30）とを締結ボルト（20）によって締結する。
【００７２】
次いで、交流電源を作動させることにより、その交流電圧（交流電流）を一対の電極端子（５）（５）に、配線端子（30）（30）及び放熱部材（10A）（10A）を介して印加する。すると、コンデンサ素子（２）（即ちコンデンサの内部）に熱が発生するが、この熱は各電極端子（５）を伝導して外部に引き出されて、各放熱部材（10A）から放出される。このとき、各放熱部材（10A）は電極端子（５）に接触状態に取り付けられているので、熱を効率良く放出することができる。その結果、コンデンサ素子（２）が効率良く冷却されて、該コンデンサ素子（２）の温度と電極端子（５）の先端部の温度とは殆ど等しくなる。このように、この電解コンデンサ（C1）は優れた放熱特性を有している。
【００７３】
こうしてコンデンサ素子（C1）に生じた熱を両放熱部材（10A）（10A）から放出しながら、交流電圧を印加する。
【００７４】
以上の電解コンデンサ（C1）の使用方法において、交流電圧が１００Ｖ以上及び交流電流が１０Ａ以上という電気的に過酷な条件で、交流電圧を印加する場合であっても、この電解コンデンサ（c1）は優れた放熱特性を有しているので、これを長期に亘って使用することができる。
【００７５】
さらに、この電解コンデンサ（C1）は、各電極端子（５）のねじ穴部（６）に、締結ボルト（20）が、互いに対応する電極端子（５）と放熱部材（10A）と配線端子（30）とを締結する状態に螺合されるものとなされているので、従来のようにコンデンサ素子（２）自体やコンデンサの内部構造自体を設計変更したり電解コンデンサ（C1）の製作工程を変更したりしなくても、電解コンデンサ（C1）の放熱特性を向上させることができる。そのため、電解コンデンサ（C1）を安価に製作することができる。さらに、この電解コンデンサ（C1）が、耐電圧が４００Ｖ以上及び静電容量が３２００μＦ以上の電気的特性を有するものであってあっても、これを安価に製作することができる。
【００７６】
また、各放熱部材（10A）において、複数個の放熱フィン（13）の合計表面積は、４０００ｍｍ2以上に設定されることが望ましい。こうすることにより、放熱特性をより確実に向上させることができる。
【００７７】
図４は、本発明の第２実施形態に係る電解コンデンサを説明するための図である。同図において、（C2）は第２実施形態に係る電解コンデンサである。
【００７８】
この電解コンデンサ（C2）では、同図に示すように、各放熱部材（10B）の電極端子（５）側の端面の中央部には、凹部（16）が設けられている。そして、この各凹部（16）に、対応する電極端子（５）の先端部がぴったりと嵌合されている。そして、この状態で、締結ボルト（20）がねじ穴部（６）に螺合されることにより、互いに対応する電極端子（５）と放熱部材（10B）と配線端子（30）とが締結されている。こうして放熱端子（30）が電極端子（５）に放熱部材（10B）を介して取り付けられている。
【００７９】
この電解コンデンサ（C2）においては、放熱部材（10B）は、電極端子（５）の先端面と該電極端子（５）の先端部の外周面とに直接、接触した状態になっており、そのため、放熱部材（10B）と電極端子（５）との接触面積が増大している。したがって、この電解コンデンサ（C2）によれば、接触抵抗をより一層減少させることができて、放熱特性をより一層向上させることができる。
【００８０】
さらに、放熱部材（10B）を電極端子（５）と配線端子（30）との間に配設させる際に、放熱部材（10B）の凹部（16）に電極端子（５）の先端部を嵌合させることにより、放熱部材（10B）の電極端子（５）に対する位置決めが行われるようになる。そのため、電解コンデンサ（C2）の配線端子（30）との接続作業を容易に行うことができる。
【００８１】
なお、同図では、放熱部材（10B）の凹部（16）に電極端子（５）の先端部が嵌合されているが、本発明では、凹部（16）に電極端子（５）の、外部に露出した部分全体が嵌合されていても良い。
【００８２】
この第２実施形態の電解コンデンサ（C2）の他の構成及び使用方法は、上記第１実施形態の電解コンデンサ（C1）と同じであり、重複する説明を省略する。
【００８３】
図５〜図７は、本発明の第３実施形態に係る電解コンデンサを説明するための図である。図５において、（C3）は第３実施形態に係る電解コンデンサである。
【００８４】
この電解コンデンサ（C3）では、図７に示すように、各電極端子（５）の先端面（5a）の中央部にボルト部（７）が一体に突設されている。このボルト部（７）は、電極端子（５）の先端部を切削加工することにより、該電極端子（５）に一体形成されたものである。
【００８５】
また、この電解コンデンサ（C3）は、一対の締結ボルトに代えて、一対の締結ナット（22）（22）を備えている。
【００８６】
一対の締結ナット（22）（22）は、互いに同形同寸に形成されている。各締結ナット（22）は、上記締結ボルトと同じく、電導性を有するものであることが望ましく、更には高熱伝導性を有するものであることが望ましい。本第３実施形態では、締結ナット（22）は、例えば金属（アルミニウム、アルミニウム合金、ステンレス鋼等）製である。
【００８７】
この電解コンデンサ（C3）においては、図７に示すように、一対の電極端子（５）（５）のうちいずれか一方の電極端子（５）において、互いに対応する電極端子（５）と配線端子（30）との間に放熱部材（10A）を配設する。この状態で、ボルト部（７）を、放熱部材（10A）のボルト挿通孔（12）と配線端子（30）のボルト挿通孔（31）とに順に通して、該ボルト部（７）に締結ナット（20）をトルク計を用いて螺合する。これにより、図５及び図６に示すように、互いに対応する電極端子（５）と放熱部材（10A）と配線端子（30）とを締結する。こうして一方の配線端子（30）は、電解コンデンサ（C3）の一方の電極端子（５）に一方の放熱部材（10A）を介して接続される
これと同様に、他方の電極端子（５）において、互いに対応する電極端子（５）と放熱部材（10A）と配線端子（30）とを締結ナット（22）によって締結する。こうして他方の配線端子（30）は、電解コンデンサ（C3）の他方の電極端子（５）に他方の放熱部材（10A）を介して接続される。
【００８８】
この第３実施形態の電解コンデンサ（C3）の他の構成及び使用方法は、上記第１実施形態の電解コンデンサ（C1）と同じであり、重複する説明を省略する。
【００８９】
図８〜図１０は、本発明の第４実施形態に係る電解コンデンサを説明するための図である。図８において、（C4）は第４実施形態に係る電解コンデンサである。
【００９０】
この電解コンデンサ（C4）では、各放熱部材（10C）は、アルミニウム又はアルミニウム合金押出形材製である。各放熱部材（10C）は、図１０に示すように、その略中央部に長さ方向（押出方向）に貫通して設けられたボルト挿通孔（12）と、該ボルト挿通孔（12）を略中心にして該ボルト挿通孔（12）の周囲の１８０°の領域において放射状に突出して設けられた複数個の放熱フィン（13）とを有している。放熱部材（10C）の、放熱フィン（13）が突出して設けられた側とは反対側の面は、平坦状に形成されている。また、複数個の放熱フィン（13）の合計表面積は４０００ｍｍ2以上に設定されている。
【００９１】
また、この電解コンデンサ（C4）は、電気絶縁用隔壁部材（40）を備えている。この隔壁部材（40）は、電気絶縁性を有するプラスチック製であって、図８及び図９に示すように両放熱部材（10C）（10C）間に配置される板状のものである。
【００９２】
この隔壁部材（40）の電極端子（５）側の端部には、各放熱部材（10C）の電極端子（５）側の端面を受ける受け部としての受け片部（41）が、隔壁部材（40）に対して略垂直方向に突出して一体形成されている。また、各受け片部（41）には、電極端子（５）の先端部を挿通する電極端子用挿通孔（43）が設けられている。
【００９３】
さらに、この隔壁部材（40）の両側縁部には、各放熱部材（10C）を保持する保持部としての一対の保持爪部（42）が一体形成されている。各保持爪部（42）は断面略Ｌ字状に形成されている。
【００９４】
次に、この電解コンデンサ（C4）の構成について、電解コンデンサ（C4）の配線端子（30）（30）との接続方法に基づいて説明する。
【００９５】
まず、図１０に示すように、一方の放熱部材（10C）の両側縁部（詳述すると平坦状壁部の両側縁部）を、隔壁部材（40）の片面側において、一対の保持爪部（42）（42）と隔壁部材（40）との間に形成された一対の保持溝部（42a）（42a）にスライド嵌合させる。更に放熱部材（10C）をスライドさせて押し込んでいくことにより、該放熱部材（10C）の電極端子（５）側の端面を、対応する受け片部（41）に当接させて、これを該受け片部（41）で受ける（図９参照。）。これにより、該放熱部材（10C）は、対応する一対の保持爪部（42）（42）によって、隔壁部材（40）からの離間が阻止された状態に保持される（図８参照）。
【００９６】
これと同様の操作により、他方の放熱部材（10C）の両側縁部を、隔壁部材（40）の他方の片面側において、一対の保持爪部（42）（42）と隔壁部材（40）との間に形成された保持溝部（42a）（42a）にスライド嵌合させて、該放熱部材（10C）の電極端子（５）側の端面を、対応する受け片部（41）で受ける。これにより、該放熱部材（10c）は、対応する一対の保持爪部（42）（42）によって、隔壁部材（40）からの離間が阻止された状態に保持される。
【００９７】
こうして両放熱部材（10C）（10C）が保持された状態において、隔壁部材（40）は、両放熱部材（10C）（10C）間に配置されている。また、各放熱部材（10C）は隔壁部材（40）の壁面に面接触状態に接触している。
【００９８】
次いで、両放熱部材（10C）（10C）を保持した状態のまま、該両放熱部材（10C）（10C）を隔壁部材（40）ごと一対の電極端子（５）（５）と一対の配線端子（30）（30）との間に配設する。この状態で、各締結ボルト（20）を、対応する配線端子（30）のボルト挿通孔（31）と放熱部材（10C）のボルト挿通孔（12）とに順に通して、該締結ボルト（20）を電極端子（５）のねじ穴部（６）にトルク計を用いて螺合する。これにより、図８及び図９に示すように、互いに対応する電極端子（５）と放熱部材（10V）と配線端子（30）とを締結する。こうして各配線端子（30）は、電解コンデンサ（C4）の対応する電極端子（５）に放熱部材（10C）を介して接続される。
【００９９】
この締結状態において、図９に示すように、各放熱部材（10C）は、隔壁部材（40）の受け片部（41）の挿通孔（43）に挿通された対応する電極端子（５）の先端面に直接、接触状態に取り付けられている。
【０１００】
この電解コンデンサ（C4）によれば、両放熱部材（10C）（10C）間に電気絶縁用隔壁部材（40）が配置されているので、両放熱部材（10C）（10C）同士が接触して電気的短絡が生じる不具合をこの隔壁部材（40）によって確実に防止することができる。
【０１０１】
さらに、各放熱部材（10C）の電極端子（５）側の端面が隔壁部材（40）の受け片部（41）で受けられ、且つ、各放熱部材（10C）が隔壁部材（40）の保持爪部（42）によって、各放熱部材（10C）の隔壁部材（42）からの離間が阻止された状態に保持されているので、放熱部材（10C）の電極端子（５）への取付け作業を容易に行うことができる。
【０１０２】
この第４実施形態の電解コンデンサ（C4）の他の構成及び使用方法は、上記第１実施形態の電解コンデンサ（C1）と同じであり、重複する説明を省略する。
【０１０３】
以上で、この発明の好ましい幾つかの実施形態について説明したが、この発明は上記実施形態に示したものに限定されるものではなく、様々に設定変更可能である。
【０１０４】
例えば、本発明では、放熱部材（10A、10B、10C）と配線端子（30）との間に、ワッシャや導電シートや電導ペーストが介在されていても良い。
【０１０５】
また、放熱部材（10A、10B、10C）の外面の一部又は全体が、電気絶縁性を有するカバー部材によってカバーされていても良い。
【０１０６】
また、本発明に係る電解コンデンサは、直流電圧用のものであっても良い。
【実施例】
【０１０７】
次に、本発明の具体的実施例及び比較例を示す。
【０１０８】
以下に示したアルミニウム電解コンデンサのコンデンサ本体を準備した。
【０１０９】
［コンデンサ本体］
コンデンサ本体のサイズ：直径６３ｍｍ×長さ１０５ｍｍ
静電容量：３２００μＦ
耐電圧：４００Ｖ
メーカー：日本ケミコン株式会社製
＜実施例１＞
上記コンデンサ本体と、図１〜図３に示した第１実施形態の電解コンデンサ（C1）における一対の放熱部材（10A）（10A）とを準備した。次いで、コンデンサ本体１の一対の電極端子（５）（５）のそれぞれの電極端子（５）において、互いに対応する電極端子（５）と放熱部材（10A）と配線端子（30）とを締結ボルト（20）によって締結した。その際に適用した締結ボルト（20）の締付けトルクは０．８Ｎ・ｍである。また、使用した放熱部材（10A）の特性を以下に示す。なお、以下の「放熱部材の特性」欄において、「放熱部材の接触面」とは、放熱部材（10）の電極端子（５）との接触面（15）を意味している（以下同じ。）。
【０１１０】
［放熱部材の特性］
放熱部材の接触面の表面粗さＲｍａｘ：１８μｍ
放熱部材の接触面の加工方法：精密旋盤
放熱部材の放熱フィンの合計面積：４０００ｍｍ2
放熱部材の材質：ＪＩＳ  Ａ６０６３Ｓ−Ｔ５
次いで、コンデンサ本体に交流電圧３０Ｖ（周波数：２０、４０、５０、６０、８０、１００、２００、３００、５００、１０００Ｈｚ）を印加した。その際の交流電流は０．１８Ａであった。このテストに使用した回路図を図１１に示す。また、周波数５０Ｈｚ（＝２０ｍｓ）におけるオシロスコープで確認された電圧波形を図１２に示す。なお、図１１において、Ｃは電解コンデンサ、Ｒ1は電熱器からなる負荷抵抗、ｒは電流測定用抵抗、100はスライダック、及び101はブリッジダイオードからなる全波整流回路である。図１２において、印加電圧の実効値は１５０Ｖであり、印加電圧の最大値は約２１２Ｖ（＝１５０×√２）である。また、電解コンデンサＣに流れる電流Ｉcは、次式（ｉ）により算出した。
【０１１１】
Ｉc＝Ｖ2／ｒ  …（ｉ）
このテストにおいて、コンデンサ本体の内部の温度をコンデンサ素子の温度として熱電対で測定するとともに、電極端子（５）と放熱部材（10A）との接触部分の温度を熱電対で測定し、該接触部分における異常発熱の有無を調べた。
【０１１２】
＜実施例２及び３＞
放熱部材の接触面の表面粗さＲｍａｘを表１に示した値に設定したこと以外は、実施例１と同じである。
【０１１３】
＜実施例４及び５＞
締結ボルトの締付けトルクを表１に示した値に設定したこと以外は、実施例１と同じである。
【０１１４】
＜実施例６＞
上記コンデンサ本体と、図８〜図１０に示した第４実施形態の電解コンデンサ（C4）における一対の放熱部材（10C）（10C）とを準備した。次いで、コンデンサ本体１の一対の電極端子（５）（５）のそれぞれの電極端子（５）において、互いに対応する電極端子（５）と放熱部材（10C）と配線端子（30）とを締結ボルト（20）によって締結した。その際に適用した締結ボルト（20）の締付けトルクは０．８Ｎ・ｍである。また、使用した放熱部材の特性と隔壁部材の特性を以下に示す。
【０１１５】
［放熱部材の特性］
放熱部材の接触面の表面粗さＲｍａｘ：１８μｍ
放熱部材の接触面の加工方法：精密切断
放熱部材の放熱フィンの合計面積：５００００ｍｍ2
放熱部材の材質：ＪＩＳ  Ａ６０６３Ｓ−Ｔ５
［隔壁部材の特性］
隔壁部材の材質：プラスチック
隔壁部材の肉厚：５ｍｍ
＜実施例７及び８＞
放熱部材の接触面の表面粗さＲｍａｘを表１に示した値に設定したこと以外は、実施例１と同じである。
【０１１６】
＜実施例９及び１０＞
締結ボルトの締付けトルクを表１に示した値に設定したこと以外は、実施例１と同じである。
【０１１７】
＜実施例１１＞
電極端子（５）とコンデンサ素子（２）を１本のリード線（90）で接続した構成を採用した以外は、実施例１と同じである。なお、実施例１〜１０では、電極端子（５）とコンデンサ素子（２）を２本のリード線（90）（90）で接続している。
【０１１８】
＜比較例１＞
放熱部材を用いなかった。他の条件は実施例１と同じである。
【０１１９】
以上の結果を表１に示す。
【０１２０】
【表１】
2004311928.tif 000003
【０１２１】
なお、同表において、表面粗さの測定は、触針式表面粗さ測定器を用いてＪＩＳに準拠して行った。
【０１２２】
また、トルク計を用いて締結ボルトの締付け作業を行うことにより、締付けトルクの設定を行った。
【０１２３】
また、同表中の「総合評価」欄において、◎、○、△及び×は、それぞれ次のことを示している。
【０１２４】
［総合評価］
◎：非常に良い
○：良い
△：やや良い
×：悪い
同表に示すように、放熱部材の接触面の表面粗さＲｍａｘが１２〜２５μｍの範囲に設定されている場合や、締付けトルクが０．６〜１．０Ｎ・ｍの範囲に設定されている場合には、電極端子と放熱部材との接触部分に異常発熱が生じることなく、コンデンサ素子を冷却できることを確認し得た。
【図面の簡単な説明】
【０１２５】
【図１】本発明の第１実施形態に係る電解コンデンサの斜視図である。
【図２】同電解コンデンサの一部切欠き正面図である。
【図３】同電解コンデンサの分解斜視図である。
【図４】本発明の第２実施形態に係る電解コンデンサの一部切欠き正面図である。
【図５】本発明の第３実施形態に係る電解コンデンサの斜視図である。
【図６】同電解コンデンサの一部切欠き正面図である。
【図７】同電解コンデンサの分解斜視図である。
【図８】本発明の第４実施形態に係る電解コンデンサの斜視図である。
【図９】同コンデンサの一部切欠き正面図である。
【図１０】同電解コンデンサの分解斜視図である。
【図１１】テストに用いた回路図である。
【図１２】テスト時にオシロスコープで確認された印加電圧波形を示す図である。
【符号の説明】
【０１２６】
C1、C2、C3、C4…電解コンデンサ
１…コンデンサ本体
２…コンデンサ素子
５…電極端子
６…ねじ穴部
７…ボルト部
10A、10B、10C…放熱部材
13…放熱フィン
15…接触面
16…凹部
20…締結ボルト
22…締結ナット
30…配線端子
40…隔壁部材
41…受け片部（受け部）
42…保持爪部（保持部）
【図１】
2004311928.tif 000004
【図２】
2004311928.tif 000005
【図３】
2004311928.tif 000006
【図４】
2004311928.tif 000007
【図５】
2004311928.tif 000008
【図６】
2004311928.tif 000009
【図７】
2004311928.tif 000010
【図８】
2004311928.tif 000011
【図９】
2004311928.tif 000012
【図１０】
2004311928.tif 000013
【図１１】
2004311928.tif 000014
【図１２】
2004311928.tif 000015